Podtech/llm-jp-corpus-v4-ja_patent huggingface dataset:
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
タイダルドライパウダー吸入器であって、
前記吸入器は：
検出素子を有する小型圧力センサを備え；
流路を備え、前記流路を通じてユーザは吸入することができ；
前記小型圧力センサのセンサポートを備え、前記センサポートは、前記流路に通気連結されており；
プロセッサを備え、前記プロセッサは、前記検出素子から受信されたデータを処理するように、かつ、前記流路を通じた呼吸の吸入が進行中であるか否かを判定するように構成されており；
コントローラを備え、前記コントローラは、前記プロセッサが前記流路を通じた前記呼吸の吸入が進行中であると判定することに応答して、投与開始信号を生成するように構成されており；および、
投与機構を備え、前記投与機構は、前記投与開始信号を受信するように、かつ、前記呼吸の吸入中に、ドライパウダー薬剤を前記流路に放出するように構成されている、
吸入器。
【請求項２】
前記プロセッサは、前記流路での空気流量が所定の投与開始閾値に達していることを示すデータを前記検出素子から受信することに基づいて、前記流路を通じた前記呼吸の吸入が進行中であると判定するように構成されている請求項１に記載の吸入器。
【請求項３】
前記小型圧力センサは、前記プロセッサと、前記所定の投与開始閾値を格納するためのハードウェアレジスタと、を備え、
前記小型圧力センサは、前記プロセッサが、前記流路を通じた前記呼吸の吸入が進行中であると判定するとき、割込みを発生させるように構成されている請求項２に記載の吸入器。
【請求項４】
前記投与機構は、ドライパウダー薬剤を離散タイムパケットに放出するように構成されている請求項１から請求項３のいずれか１項に記載の吸入器。
【請求項５】
前記プロセッサは、さらに、前記流路を通じた呼吸の吸入が進行中であることの判定を下した後に、前記検出素子から受信されたデータを処理して、前記ユーザの肺の目標体積が満たされたことの判定を下すように構成されており；
前記コントローラは、さらに、前記ユーザの肺の目標体積が満たされたことの判定に応答して、投与停止信号を発するように構成されており；そして、
前記投与機構は、さらに、前記投与停止信号の受信に応答して、ドライパウダー薬剤の前記流路への放出を停止するように構成されている請求項４に記載の吸入器。
【請求項６】
前記プロセッサは、前記検出素子から受信された前記データが、時間的に平均化された前記流路での空気流量が所定の投与停止閾値に達していることを示すとき、前記ユーザの肺の目標体積が満されたことの判定を下すように構成されている請求項５に記載の吸入器。
【請求項７】
再使用可能な部品および交換可能な薬カートリッジをさらに備える請求項１に記載の吸入器。
【請求項８】
前記再使用可能な部品は、電子カートリッジ識別手段を備えている請求項７に記載の吸入器。
【請求項９】
前記小型圧力センサは、マイクロエレクトロメカニカルシステム（ＭＥＭＳ）気圧センサ、または、ナノエレクトロメカニカルシステム（ＮＥＭＳ）気圧センサを備える請求項１に記載の吸入器。
【請求項１０】
装置を制御する方法であって、
当該方法は：
前記装置の小型圧力センサのセンサポートでの圧力変化を検出し、前記センサポートは前記装置の流路に通気連結されており、前記流路を通じてユーザは吸入することができ；
前記センサポートでの前記圧力変化を検出することに基づいて、前記流路を通じた呼吸の吸入が進行中であると判定し；
前記流路を通じた呼吸の吸入が進行中であると判定すると、投与開始信号を発し；そして、
前記投与開始信号に基づいて前記呼吸の吸入中にドライパウダー薬剤を前記流路へ放出する、
方法。
【請求項１１】
前記センサポートでの前記圧力変化が、前記流路での空気流量が所定の投与開始閾値に達することを示すときに、前記流路を通じた呼吸の吸入が進行中であるとの判定がなされる請求項１０に記載の方法。
【請求項１２】
前記所定の投与開始閾値は、前記小型圧力センサの内部ハードウェアレジスタにプログラムされ、
前記流路を通じた呼吸の吸入が進行中であるとの判定、および、前記投与開始信号を発することが、前記小型圧力センサによって実施される請求項１１に記載の方法。
【請求項１３】
前記ドライパウダー薬剤の放出は、１または複数の離散タイムパケット中続いている請求項１０に記載の方法。
【請求項１４】
前記流路を通じた呼吸の吸入が進行中であるとの判定を下した後に、前記ユーザの肺の目標体積が満たされたことを判定し；
前記ユーザの肺の目標体積が満たされたと判定すると、投与停止信号を発し；そして、
前記投与停止信号に基づいて、ドライパウダー薬剤の前記流路への放出を停止する、
請求項１３に記載の方法。
【請求項１５】
前記小型圧力センサの前記センサポートでの前記圧力変化が、時間的に平均化された前記流路での空気流量が所定の投与停止閾値に達していることを示すとき、前記ユーザの肺の目標体積が満たされたとの判定が下される請求項１４に記載の方法。
【請求項１６】
前記方法は、複数の連続する呼吸にわたり繰り返される請求項１３に記載の方法。
【請求項１７】
前記小型圧力センサのスイッチを入れまたは前記小型圧力センサを低電力状態から立ち上げ；
前記小型圧力センサのスイッチが入ったことまたは前記小型圧力センサが立ち上がったことに基づいて、前記小型圧力センサの検出素子から風袋値を取得し；そして、
前記検出素子から受信されたデータを較正し、その後に前記風袋値を用いる、
請求項１０に記載の方法。
【請求項１８】
前記小型圧力センサによって測定値の動的移動平均から動的ゼロを測定し；そして、
前記動的ゼロに従って前記小型圧力センサを動的に較正する、
ことを特徴とする請求項１０に記載の方法。
【請求項１９】
追加のＭＥＭＳ気圧センサを用いて環境気圧活動を監視し；そして、
前記流路に通気連結された前記センサポートを有する前記小型圧力センサを、前記追加のＭＥＭＳ気圧センサと対比して較正する、
請求項１０に記載の方法。
【請求項２０】
前記方法は、コンピュータプロセッサによる実行のための指令を備えるコンピュータプログラム製品によって実施される、
請求項１０に記載の方法。
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
コラーゲン層と、少なくとも１つの分離かつ洗浄された胎盤組織成分および／または臍帯成分とを含む複層化組織移植片であって、前記コラーゲンが、非ヒトの抗原を実質的に含まないヒトのコラーゲンである、組織移植片。
【請求項２】
分離かつ洗浄された胎盤組織成分および／または臍帯成分の第１の層と第２の層との間に挿入されたコラーゲン層を含む、請求項１に記載の複層化組織移植片。
【請求項３】
前記胎盤組織成分が、少なくとも１つの羊膜層に由来する、請求項２に記載の複層化組織移植片。
【請求項４】
前記胎盤組織成分が、少なくとも１つの絨毛膜層に由来する、請求項２に記載の複層化組織移植片。
【請求項５】
前記臍帯成分がワルトンゼリーを含む、請求項２に記載の複層化組織移植片。
【請求項６】
前記少なくとも１つの羊膜層が上皮側および線維芽側を含み、両方の側が実質的に脱細胞化されていない、請求項３に記載の複層化組織移植片。
【請求項７】
前記少なくとも１つの羊膜層が上皮側および線維芽側を含み、前記上皮側が実質的に脱細胞化されている、請求項３に記載の複層化組織移植片。
【請求項８】
前記少なくとも１つの羊膜層が上皮側および線維芽側を含み、前記線維芽側が実質的に脱細胞化されている、請求項３に記載の複層化組織移植片。
【請求項９】
前記少なくとも１つの羊膜層が上皮側および線維芽側を含み、両方の側が実質的に脱細胞化されている、請求項３に記載の複層化組織移植片。
【請求項１０】
前記ヒトのコラーゲンが、１つまたは複数の胎盤組織成分から単離されている、請求項１〜９のいずれか１項に記載の複層化組織移植片。
【請求項１１】
前記コラーゲン層が、前記組織移植片の総重量％に対して少なくとも１０重量％である、請求項１〜１０のいずれか１項に記載の複層化組織移植片。
【請求項１２】
前記層がまとめて積層化されている、請求項１〜１１のいずれか１項に記載の複層化組織移植片。
【請求項１３】
前記コラーゲンが架橋している、請求項１〜１２のいずれか１項に記載の複層化組織移植片。
【請求項１４】
前記コラーゲン層が、少なくとも約１００キロパスカルの引張強度を有する、請求項１〜１３のいずれか１項に記載の複層化組織移植片。
【請求項１５】
前記コラーゲン層が、少なくとも約５０メガパスカルの剛性を有する、請求項１〜１４のいずれか１項に記載の複層化組織移植片。
【請求項１６】
前記組織移植片が、２０重量％未満の含水量を有するように脱水されており、約１００μｍ未満の大きさを有する粒子に微粒子化されている、請求項１〜１５のいずれか１項に記載の複層化組織移植片を含む微粒子化組成物。
【請求項１７】
薬学的に許容可能な賦形剤をさらに含む、請求項１６に記載の微粒子化組成物。
【請求項１８】
対象と接触させる用または対象に注入する用の、請求項１〜１５のいずれか１項に記載の複層化組織移植片または請求項１６もしくは１７に記載の微粒子化組成物。
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
１又は２以上の乗り手を収容するように構成された複数の車両と、
ゲームコントローラと、を備えるシステムであって、
前記複数の車両の各車両は、ゲームキャラクタに関連し、かつ車両インターフェイス回路を有し、前記複数の車両の各車両は、前記車両インターフェイス回路を介して前記１又は２以上の乗り手からそれぞれの入力を受け取るように構成され、前記それぞれの入力の１又は２以上の入力は車両経路に関連し、前記１又は２以上の乗り手は、ゲーム環境の複数のゲーム特徴の１又は２以上を選択することにより複数の車両経路から前記車両経路を選択して前記車両経路に関連する前記１又は２以上の入力を与え、前記ゲーム環境は複数の場所を含み、
前記ゲームコントローラは、
前記車両インターフェイス回路から前記１又は２以上の入力に関連する情報を受け取り、
前記１又は２以上の入力に基づいて前記複数の車両の各車両のスコアを決定し、及び、
前記複数の車両の第１のサブセットの各車両からの前記スコアに少なくとも基づいた第１のチームスコア及び前記複数の車両の第２のサブセットの各車両からの前記スコアに少なくとも基づいた第２のチームスコアを決定する、
ように構成され、前記第１のチームスコアが前記第２のチームスコアよりも高いとき、前記複数の車両の前記第１のサブセットは前記複数の場所の１又は２以上の場所にアクセスすることができるものであり、
前記ゲームコントローラは、
選択された前記車両経路に沿って前記車両を移動させる命令を与え、及び、
前記入力に従って前記ゲーム環境を修正する命令を与える、
ように構成され、前記それぞれの入力は、前記ゲームキャラクタに関連するゲーム特徴に関連し、前記ゲーム環境の修正は、前記ゲーム環境内の仮想オブジェクト又は物理オブジェクトを修正することを含む、
システム。
【請求項２】
前記ゲームコントローラは、前記複数の車両の前記第１のサブセットに第１のゲームキャラクタを割り当て、及び前記複数の車両の前記第２のサブセットに第２のゲームキャラクタを割り当てるように構成される、請求項１に記載のシステム。
【請求項３】
各ゲームキャラクタは、所定のゲームスキルレベルに関連し、前記ゲームコントローラは、個々の車両の個々の入力を前記関連するゲームキャラクタの前記所定のゲームスキルレベルに関連付けて前記個々の車両のスコアを決定するように構成される、請求項１に記載のシステム。
【請求項４】
前記ゲームコントローラは、入力を受け取って、前記１又は２以上の乗り手の前記ゲームスキルレベルを動的に決定するように構成される、請求項３に記載のシステム。
【請求項５】
前記ゲームコントローラは、前記スコアに基づいて前記ゲーム環境を修正するように構成される、請求項３に記載のシステム。
【請求項６】
前記複数の車両の各々の車両は、前記ゲーム環境の少なくとも一部において独立した車両経路上を移動するように構成される、請求項１に記載のシステム。
【請求項７】
前記ゲームコントローラは、前記スコアに基づいて、個々の車両が前記複数の場所のうちの１又は２以上の場所に入れるようにするよう構成される、請求項１に記載のシステム。
【請求項８】
前記複数の車両の各車両からの前記スコアに基づいたチームスコアを更に含み、該チームスコアが閾値を超えると、前記複数の車両が前記１又は２以上の場所に入れるようになる、請求項７に記載のシステム。
【請求項９】
前記第１のサブセット及び前記第２のサブセットは、互いに競い合う、請求項１に記載のシステム。
【請求項１０】
閾値を超えるスコアを有する前記複数の車両の各車両が前記１又は２以上の場所に入ることができるか、又は前記ゲーム環境が前記スコアに基づいて変化する、請求項７に記載のシステム。
【請求項１１】
前記ゲームコントローラは、
前記１又は２以上の入力に基づいて各ゲームキャラクタのスコアを決定し、
前記複数の車両の各車両の車両コントローラに、前記スコアに基づいて前記ゲーム環境内で動く命令を与える、
ように構成される、請求項１に記載のシステム。
【請求項１２】
前記複数の車両の各車両の前記車両コントローラは、前記命令を受け取り、該命令に基づいて、前記複数の車両を前記ゲーム環境内の１又は２以上の新たな場所に自動的に動かすように構成される、請求項９に記載のシステム。
【請求項１３】
前記複数の車両の各車両の前記ゲーム環境への指定入口点を更に含み、前記ゲーム環境への前記指定入口点は各車両に関連する前記ゲームキャラクタにより決定される、請求項１に記載のシステム。
【請求項１４】
前記ゲーム環境は、各ゲームキャラクタに割り当てられたキャラクタ訓練機構を含み、前記複数の車両の各車両は、前記関連するゲームキャラクタの前記キャラクタ訓練機構にアクセスする命令を受け取るように構成される、請求項１に記載のシステム。
【請求項１５】
前記キャラクタ訓練機構は、各ゲームキャラクタのキャラクタ訓練室を含み、各車両は、各車両の関連するゲームキャラクタの前記キャラクタ訓練室にのみ入ることができる、請求項１４に記載のシステム。
【請求項１６】
前記ゲーム環境は、複数の出口点を含む、請求項１に記載のシステム。
【請求項１７】
前記複数の出口点の各出口点は、前記ゲーム環境内の異なるゲーム経路に関連する、請求項１６に記載のシステム。
【請求項１８】
１又は２以上の乗り手を収容するように構成された複数の車両と、
ゲームコントローラと、を備えるシステムであって、
前記複数の車両の各車両は、ゲームキャラクタに関連し、かつ車両インターフェイス回路を有し、前記複数の車両の各車両は、前記車両インターフェイス回路を介して前記１又は２以上の乗り手からそれぞれの入力を受け取るように構成され、前記それぞれの入力の１又は２以上の入力は車両経路に関連し、前記１又は２以上の乗り手は、ゲーム環境の複数のゲーム特徴の１又は２以上を選択することにより複数の車両経路から前記車両経路を選択して前記車両経路に関連する前記１又は２以上の入力を与え、前記ゲーム環境は各ゲームキャラクタに割り当てられたキャラクタ訓練機構を含み、該キャラクタ訓練機構は各ゲームキャラクタのキャラクタ訓練室を含み、各車両は、各車両の関連するゲームキャラクタの前記キャラクタ訓練室にのみ入ることができ、
前記ゲームコントローラは、
前記車両インターフェイス回路から前記１又は２以上の入力に関連する情報を受け取り、
選択された前記車両経路に沿って前記車両を移動させる命令を与え、及び、
前記１又は２以上の入力に従って前記ゲーム環境を修正する命令を与える、
ように構成され、前記それぞれの入力は、前記ゲームキャラクタに関連するゲーム特徴に関連し、前記ゲーム環境の修正は、前記ゲーム環境内の仮想オブジェクト又は物理オブジェクトを修正することを含む、
システム。
【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
舌操作システムの舌前進具との接続を行うための接続ツールであって、当該接続ツールは、
前記舌前進具に接続される舌前進具テザー線に結合されるコネクタと、
接続ツール本体及び分離可能な除去カニューレ部分と、
前記分離可能な除去カニューレ部分内に少なくとも部分的に配置された除去スリーブと、
を含み、
前記接続ツール本体及び前記分離可能な除去カニューレ部分は、前記除去スリーブの遠位端が前記舌前進具に接触することを可能にするために、前記舌前進具テザー線が前記接続ツール内で引っ張られる際に前記舌前進具テザー線に追従し、
前記分離可能な除去カニューレ部分は、前記除去スリーブの前記舌前進具との接触の後、前記接続ツール本体から分離可能であり、これにより前記除去スリーブの近位端を露出させる、
接続ツール。
【請求項２】
前記分離可能な除去カニューレ部分内に少なくとも部分的に配置された切開器具本体と、前記切開器具本体内に少なくとも部分的に配置された前記除去スリーブとを含む摺動アセンブリを更に含み、前記摺動アセンブリは、前記舌前進具テザー線上において前進する、請求項１に記載の接続ツール。
【請求項３】
前記接続ツール本体は、フローティングノブを含み、前記除去スリーブと前記舌前進具との間の接触が行われたとき、前記切開器具本体は、前記フローティングノブから切り離される、請求項２に記載の接続ツール。
【請求項４】
前記除去スリーブと前記舌前進具との間の接触が行われたとき、前記除去スリーブの露出された近位端に結合される除去アダプタを受け入れる、請求項１乃至３の何れか一項に記載の接続ツール。
【請求項５】
前記除去スリーブは、前記除去スリーブの近位端に配置された一体型の除去アダプタを含む、請求項１乃至３の何れか一項に記載の接続ツール。
【請求項６】
前記接続ツールが前記舌前進具テザー線に追従するように、前記切開器具本体は、組織を切開する切開器具先端部を更に含み、
前記切開器具先端部は、
前記接続ツールが前記舌前進具テザー線を損傷することなく前記舌前進具に斜角で追従し、前記舌前進具テザー線を保護し且つ囲む可撓性切開器具先端部と、
前記接続ツールが前記舌前進具テザー線を損傷することなく前記舌前進具に斜角で追従し、前記舌前進具テザー線を保護し且つ囲む先の鈍い切開器具先端部と
のうちの少なくとも１つを含む、請求項１乃至５の何れか一項に記載の接続ツール。
【請求項７】
請求項１乃至６の何れか一項に記載の接続ツールの前記分離可能な除去カニューレ部分と前記接続ツール本体との分離後、前記接続ツールの前記分離可能な除去カニューレ部分に結合し、更に、除去アダプタを受け入れる、除去ツールであって、前記除去アダプタは、前記接続ツールの前記除去スリーブの露出された近位端に結合され、前記除去スリーブは、前記舌前進具に更に結合されており、前記除去ツールは、前記舌前進具に結合された前記除去アダプタに、前記除去スリーブを介して張力を付与することによって、前記舌前進具を前記分離可能な除去カニューレ部分内に引き込む、除去ツール。
【請求項８】
前記除去アダプタは、前記分離可能な除去カニューレ部分と前記接続ツール本体との分離後、及び前記分離可能な除去カニューレ部分への前記除去ツールの接続前に、前記分離可能な除去カニューレ部分内に挿入され、且つ除去スリーブの近位端に結合される、請求項７に記載の除去ツール。
【請求項９】
前記除去スリーブは、前記除去スリーブの前記遠位端を舌前進具に結合して、除去アセンブリの一部を形成する第１のカップリング部分と、
前記除去ツールに結合するために、前記除去スリーブの前記近位端を除去アダプタの前記遠位端に結合する第２のカップリング部分と
を含み、前記分離可能な除去カニューレ部分が除去ツールに結合されると、前記舌前進具が前記分離可能な除去カニューレ部分内に引き込まれるように、前記除去アダプタは、前記除去スリーブを介して前記除去ツールからの張力又は引張力を前記舌前進具に伝える、請求項７又は８に記載の除去ツール。
【請求項１０】
前記除去アダプタとインターフェース接続して、前記除去アダプタ、前記除去スリーブ及び前記舌前進具の装填を可能にする装填機構を更に含む、請求項９に記載の除去ツール。
【請求項１１】
チャージされる推進要素と、
前記推進要素が前記除去ツールから前記除去アダプタ、前記除去スリーブ及び前記舌前進具を推進させることを許容する解放機構と
を更に含む、請求項１０に記載の除去ツール。
【請求項１２】
請求項１乃至６の何れか一項に記載の接続ツールと、
請求項７乃至１１の何れか一項に記載の除去ツールと
を含む、舌操作システムの舌前進具の除去のためのシステム。
【請求項１３】
請求項１乃至６の何れか一項に記載の接続ツールの前記分離可能な除去カニューレ部分の遠位端を受け入れるコンテナ開口部であって、少なくとも部分的に前記分離可能な除去カニューレ部分内に、前記接続ツールの前記除去スリーブ及び舌前進具が配置されている、前記コンテナ開口部と、
除去ツールからの前記舌前進具の推進された排出後、前記舌前進具を受け入れる舌前進具保持材料であって、前記舌前進具保持材料が、更に、損傷に関する前記舌前進具の検査を許容する、前記舌前進具保持材料と
を含む、リターンコンテナ。
【請求項１４】
請求項１乃至６の何れか一項に記載の接続ツールの前記分離可能な除去カニューレ部分の遠位端をコンテナ開口部において受け入れるステップと、
請求項７乃至１１の何れか一項に記載の除去ツールの前記除去アダプタ、請求項１乃至６の何れか一項に記載の接続ツールの前記除去スリーブ、及び舌前進具を含む除去アセンブリから、舌前進具の少なくとも一部をコンテナ内の舌前進具保持材料内に受け入れるステップであって、前記舌前進具保持材料が、損傷に関する前記舌前進具の検査を許容する、ステップと
を含む、舌操作システムのための除去コンテナを提供するための方法。
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
スチームアイロンヘッドであって、
−  布地接触面を有するソールプレートと、
−  蒸気注入口であり、該注入口を通って蒸気が当該スチームアイロンヘッドまで流れる、蒸気注入口と、
−  少なくとも１つの蒸気通気口と、
−  前記蒸気注入口と前記少なくとも１つの蒸気通気口との間にある蒸気通路と、
を含み、
前記ソールプレートは、前記布地接触面及び前記蒸気通路の基底を形成するソールプレートパネルを有し、さらに、
前記ソールプレートパネルは、前記少なくとも１つの蒸気通気口まで前記蒸気通路に沿って流れる蒸気によって主として加熱されるように構成され、前記蒸気通路と前記少なくとも１つの蒸気通気口との間にある流体分離器が、前記蒸気通路内で形成された凝縮体の流れを、前記少なくとも１つの蒸気通気口を通過しないよう制限するように構成されている、スチームアイロンヘッド。
【請求項２】
前記ソールプレートパネルの温度は、蒸気が前記蒸気通路に沿って流れていない場合に下がるように構成されている、請求項１に記載のスチームアイロンヘッド。
【請求項３】
前記蒸気通路の前記基底の面積は、前記布地接触面の面積の少なくとも７０％である、請求項１又は２に記載のスチームアイロンヘッド。
【請求項４】
前記蒸気通路は、迷路形状を有する、請求項１乃至３のいずれか一項に記載のスチームアイロンヘッド。
【請求項５】
前記蒸気通路は、前記ソールプレートパネルから立ち上がっている少なくとも１つの壁によって画定されている、請求項１乃至４のいずれか一項に記載のスチームアイロンヘッド。
【請求項６】
前記蒸気通路の前記基底と前記布地接触面との間の前記ソールプレートパネルの厚さは、２ｍｍ未満である、請求項１乃至５のいずれか一項に記載のスチームアイロンヘッド。
【請求項７】
前記流体分離器は、サイクロンチャンバを含む、請求項１乃至６のいずれか一項に記載のスチームアイロンヘッド。
【請求項８】
前記流体分離器によって蒸気から分離された液体を除去するように構成された液体除去構成をさらに含む、請求項１乃至７のいずれか一項に記載のスチームアイロンヘッド。
【請求項９】
前記液体除去構成は、液体リザーバまでの戻り経路を含む、請求項８に記載のスチームアイロンヘッド。
【請求項１０】
前記液体除去構成は、前記流体分離器によって蒸気から分離された液体を蒸発させる加熱器を含む、請求項９に記載のスチームアイロンヘッド。
【請求項１１】
請求項１乃至１０のいずれか一項に記載のスチームアイロンヘッドを含む、蒸気発生器システムアイロン。
【請求項１２】
前記蒸気通路を通る蒸気の流れを制御するように構成された蒸気弁をさらに含む、請求項１１に記載の蒸気発生器システムアイロン。
【請求項１３】
前記スチームアイロンヘッドは、前記蒸気弁を通る蒸気の流れを制御するように構成された前記蒸気弁に接続されたユーザ入力をさらに含む、請求項１２に記載の蒸気発生器システムアイロン。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
流体配給装置の注入異常を決定するシステムであって、前記システムは、
前記流体配給装置の貯蔵部と前記流体を注入部位に注入するように設計された注入セットの間に流体の連通を形成するのに適している流体経路と、
前記流体経路内で流体圧をモニタするように構成された圧力センサと、
プロセッサ、を有し、
前記プロセッサは、前記流体経路を通して前記流体を移動するために前記流体配給装置のポンピング機構を作動させ、前記ポンピング機構が作動したときに、前記圧力センサによって生成された第１シリーズの信号のうちの少なくとも一つの信号に基づいて前記流体経路の閉塞の発生を検出し、前記ポンピング機構が作動したときに、前記圧力センサによって生成された第２シリーズの信号のうちの少なくとも一つの信号に基づいて、部分的閉塞か完全閉塞かで閉塞のタイプを識別するように構成されている、
システム。
【請求項２】
前記プロセッサは、前記部分的閉塞が検出されたときに、前記流体の配給を強制するのに適合されている請求項１＿に記載のシステム。
【請求項３】
前記閉塞が一旦検出されたならば、前記プロセッサはある一定の時間の間、前記ポンピング機構をプッシュ位置に維持するように構成されている請求項１又は２に記載のシステム。
【請求項４】
前記一定の時間は予め定められているか、または前記圧力センサによって生成される少なくとも一つの信号に従って決定される請求項１〜３のいずれか一項に記載のシステム。
【請求項５】
第一の作動プロファイルと第二の作動プロファイルという少なくとも２つの別個の作動プロファイルを記憶するのに適合されたメモリを備え、前記第一の作動プロファイルと前記第二の作動プロファイルとは異なっており、
前記プロセッサは、 少なくとも１つの作動プロファイルを用いて、前記流体経路を介して前記流体を移動させるために前記流体配給装置のポンピング機構を作動させるように構成されたプロセッサとを備え、
前記二つの別個の作動プロファイルは共に、前記流体を前記貯蔵部から前記注入セットへと移動させるように前記プロセッサによって用いることが可能であり、少なくとも前記第１の作動プロファイルが、少なくとも一つの注入異常のタイプを検出するように前記プロセッサによって命令される、請求項１〜４のいずれか一項に記載のシステム。
【請求項６】
前記プロセッサは、注入セットの状態および／または前記注入部位の特徴を決定するように構成されている請求項１〜５のいずれか一項に記載のシステム。
【請求項７】
前記システムは、前記注入セットの状態および／または前記注入部位の特徴をユーザに知らせるのに適合された表示装置を有する請求項１〜６のいずれか一項に記載のシステム。
【請求項８】
前記表示装置は、前記注入セットの品質、および／または前記注入部位の特徴および／または前記注入部位における流体抵抗および／または前記注入セットの交換の前の残り時間に対応する情報を表示する、請求項１〜７のいずれか一項に記載のシステム。
【請求項９】
前記表示装置は、前記注入セットの状態に応じて赤、オレンジまたは赤であってもよい色指数を表示する請求項１〜８のいずれか一項に記載のシステム。
【請求項１０】
前記表示装置が前記システムのスクリーンである請求項１〜９のいずれか一項に記載のシステム。
【請求項１１】
前記スクリーンが、他の情報と共に前記注入セットの状態を含むホームページを表示するのに適合されている請求項１〜１０のいずれか一項に記載のシステム。
【請求項１２】
前記プロセッサが、システムによって配給されなければならなかった流体の量を決定し、そのデータを前記システムのメモリに記録するように構成されている、請求項１〜１１のいずれか一項に記載のシステム。
【請求項１３】
前記プロセッサは、前記流体の決定された量を配給すべき前記ポンプの各作動において、カウンタを増分するように構成されている請求項１〜１２のいずれか一項に記載のシステム。
【請求項１４】
前記システムは、 配給カウンタ、潜在的に配給不足のカウンタ、有効な配給不足のカウンタ、未配給のカウンタ、の中から少なくとも２つを備える請求項１〜１３のいずれか一項に記載のシステム。
【請求項１５】
一旦部分的注入又は非注入の原因が取り除かれれば、前記プロセッサは、前記メモリに記録されたデータを考慮した流体の新しい量を注入するために、患者を促すかまたは提案するように構成されている請求項１〜１４のいずれか一項に記載のシステム。
【請求項１６】
一旦部分的注入又は非注入の原因が取り除かれれば、前記プロセッサは、前記カウンタ内に記録されたデータ、前記有効的に配給不足のカウンタおよび／または未配給のカウンタで記録された量を考慮した流体の新しい量を自動的に注入することを試行する請求項１〜１５のいずれか一項に記載のシステム。
【請求項１７】
前記カウンタは、新規な注入が命令されたとき、または、患者または介護者によって予め設定されることができる所与の時間の経過後ゼロに戻る、請求項１〜１６のいずれか一項に記載システム。
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
データ秘匿化のためのコンピュータ実装された画像処理方法において、
対象から取得される３次元（３Ｄ）画像データセットを受信するステップと、
前記画像データセットを対象領域及び前記対象の周囲空間に対応する背景領域へとセグメント化するステップと、
前記背景領域における画像要素にランダム化処理を適用し、前記３Ｄ画像データセットを部分的にランダム化された画像データセットへと変換するステップとを有する、方法。
【請求項２】
前記対象領域が、内核領域及び外部層領域を有し、
前記外部層領域は、前記内核領域及び前記背景領域の間にあり、
前記ランダム化処理が、ｉ）前記背景領域における画像要素及びｉｉ）前記外部層領域における画像要素に限られる、請求項１に記載の画像処理方法。
【請求項３】
前記外部層領域が、前記背景領域とインターフェースする前記画像要素を含む、請求項２に記載の画像処理方法。
【請求項４】
前記外部層領域が、前記インターフェースする画像要素だけを有する、請求項３に記載の画像処理方法。
【請求項５】
前記ランダム化処理が、ランダム化された画像情報と所与の画像要素での元の画像情報とを組み合わせるステップを有する、請求項１乃至４の任意の一項に記載の画像処理方法。
【請求項６】
前記元の画像情報にわたる前記ランダム化された画像情報の優勢は、前記背景領域の方へ前記外部層領域からの方向に沿って画像要素に関して増加する、請求項２乃至５の任意の一項に記載の画像処理方法。
【請求項７】
前記ランダム化処理が、前記元の画像データセットを実質的に復元することをもたらすよう可逆的である、請求項１乃至６の任意の一項に記載の画像処理方法。
【請求項８】
前記ランダム化処理の反転は、前記ランダム化された画像データセットに関連して格納される１つ又は複数のランダム化反転命令により規定される、請求項７に記載の画像処理方法。
【請求項９】
前記１つ又は複数のランダム化反転命令が、前記ランダム化された画像データセットのＤＩＣＯＭヘッダ日付に格納される、請求項８に記載の画像処理方法。
【請求項１０】
前記１つ又は複数のランダム化反転命令が、前記ランダム化された画像データセットから離れて別々に格納される、請求項８又は９に記載の画像処理方法。
【請求項１１】
前記ランダム化反転命令が、許可されたエージェントによってのみ実行可能である、請求項１乃至７の任意の一項に記載の画像処理方法。
【請求項１２】
コンピュータ実装された画像処理方法において、
対象から得られる部分的にランダム化された３次元（３Ｄ）画像データセットを受信するステップと、
ランダム化命令にアクセスするステップと、
前記ランダム化命令に基づき反転ランダム化命令を形成するステップと、
前記ランダム化された３Ｄ画像データセットを非ランダム化された３Ｄ画像データセットへと変換するため前記反転ランダム化命令を適用するステップと、
を有し、
前記受信された部分的にランダム化された３Ｄ画像データセットが、請求項１記載の方法により得られる結果である、方法。
【請求項１３】
画像処理装置であって、
対象から取得される３次元３Ｄ画像データセットを受信するよう構成される入力ポートと、
前記画像データセットを対象領域及び前記対象の周囲空間に対応する背景領域へとセグメント化するよう構成されるセグメンタと、
前記背景領域における画像要素にランダム化処理を適用し、前記３Ｄ画像データセットを少なくとも部分的にランダム化された画像データセットへと変換するよう構成されるランダマイザと、
前記変換された画像を出力するよう構成される出力ポートとを有する、装置。
【請求項１４】
画像処理装置であって、
対象から取得される部分的にランダム化された３次元（３Ｄ）画像データセットを受信するよう構成される入力ポートと、
ランダム化命令にアクセスし、前記ランダム化命令に基づき反転ランダム化命令を形成し、前記ランダム化された３Ｄ画像データセットを非ランダム化された３Ｄ画像データセットへと変換するため前記反転ランダム化命令を適用する脱ランダマイザと、
前記非ランダム化された３Ｄ画像データセットを出力するよう構成される出力ポートと、を有し、
前記受信された部分的にランダム化された３Ｄ画像データセットが、請求項１記載の方法により得られる結果である、装置。
【請求項１５】
請求項１３又は１４に記載の装置を制御するためのコンピュータプログラムであって、処理ユニットによって実行された場合に、請求項１乃至１２のいずれかに記載の方法のステップを実行させるためのコンピュータプログラム。
【請求項１６】
請求項１５に記載のプログラムが格納されたコンピュータ可読媒体。
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
竜舌蘭に由来する抽出物の蒸留物からエタノール以外の揮発性化合物を保持する処理によって、エタノールを除去して調製されるモノアミンオキシダーゼ（ＭＡＯ）阻害性化合物を含む組成物。
【請求項２】
前記処理が逆浸透処理であることを特徴とする請求項１に記載の組成物。
【請求項３】
アルコール飲料が、以下のステップによって調製された蒸留物であることを特徴とする請求項１に記載の組成物：
ａ）ロイヒテンベルギア・プリンキピスの幹を加熱して複合糖を加水分解するステップ；ｂ）加熱した幹をシュレッド及びクラッシュしてシロップを放出させるステップ；
ｃ）前記シロップを水で１２−１４ＢＲＩＸレベルまで希釈して、酵母を植菌するステップ；
ｄ）植菌した希釈シロップを発酵させて発酵産物を取得するステップ；及び
ｅ）発酵産物を蒸留して蒸留物を取得するステップ。
【請求項４】
ステップａ）がオートクレーブ処理によって実行されること、及び／又は、
ステップｂ）がシュレッドミル及びクラッシャにおいて実行されること、及び／又は、
ステップｄ）のプロセスが、サッカロミセス・セレビシエ及びクロエケラ・アフリカーナの存在下において、室温と３０℃の間での発酵を含むこと、及び／又は、
蒸留物が少なくとも３８−４０％ｖ／ｖのエタノール濃度に到達するまで、ステップｅ）が実行されること、
を特徴とする請求項３に記載の組成物。
【請求項５】
モノアミンオキシダーゼ（ＭＡＯ）の過剰活性によって特徴付けられる状態の処置を必要とする被験者に対して投与されることを特徴とする請求項１〜４のいずれか１項に記載の組成物。
【請求項６】
前記状態が、鬱病又はパーキンソン病であることを特徴とする請求項５に記載の組成物。
【請求項７】
請求項１〜４のいずれか１項に記載の組成物を含む食品又は飲料。
【請求項８】
モノアミンオキシダーゼ（ＭＡＯ）の過剰活性によって特徴付けられる状態の処置を必要とする被験者に対して投与されることを特徴とする請求項７項に記載の食品又は飲料。
【請求項９】
前記状態が、鬱病又はパーキンソン病であることを特徴とする請求項８に記載の食品又は飲料。
【請求項１０】
エタノール存在下でのＭＡＯ阻害剤についてアッセイする方法であって、
前記アッセイにおいてアルコールデヒドロゲナーゼ及びＮＡＤを含む方法。
【請求項１１】
以下のステップを含むことを特徴とする請求項８に記載の方法：
ａ）解析されるサンプルに対して、ニコチンアミドアデニンジヌクレオチド及びアルコールデヒドロゲナーゼと共に、基質有効量のキヌラミンジヒドロブロミドを添加するステップ；
ｂ）ＭＡＯ  Ａ及び／又はＭＡＯ  Ｂを添加するステップ；
ｃ）３７℃でインキュベートするステップ；
ｄ）強塩基で反応を停止するステップ；及び
ｅ）３１０ｎｍの励起波長及び４０５ｎｍの発光波長で結果を評価するステップ。
【手続補正２】
【補正対象書類名】明細書
【補正対象項目名】００５５
【補正方法】変更
【補正の内容】
【００５５】
表２は、種々の飲料、並びに、希釈したテキーラ出発材料（希釈したＲＯコントロールとしてラベルされる）、第１ＲＯ濃縮物、第２ＲＯ濃縮物、第１ＲＯろ過液及び第２ＲＯろ過液に関する結果を示す。ＭＡＯ阻害アッセイにおいて、ろ過液はほとんど阻害活性を有さないことを示し、その一方でほとんどの活性が濃縮物に残る。
表２
2017529102.tif 000001
なお本発明は、以下の好ましい形態のようにも記載される。
（形態１）
エタノール以外の揮発性化合物を保持する処理によって竜舌蘭に由来するアルコール飲料からエタノールを除去して調製されるモノアミンオキシダーゼ（ＭＡＯ）阻害性化合物を含む組成物。
（形態２）
アルコール飲料が蒸留物であることを特徴とする形態１に記載の組成物。
（形態３）
前記処理が逆浸透処理であることを特徴とする形態１に記載の組成物。
（形態４）
アルコール飲料が、以下のステップによって調製された蒸留物であることを特徴とする形態１に記載の組成物：
ａ）ロイヒテンベルギア・プリンキピスの幹を加熱して複合糖を加水分解するステップ；ｂ）加熱した幹をシュレッド及びクラッシュしてシロップを放出させるステップ；
ｃ）前記シロップを水で１２−１４ＢＲＩＸレベルまで希釈して、酵母を植菌するステップ；
ｄ）植菌した希釈シロップを発酵させて発酵産物を取得するステップ；及び
ｅ）発酵産物を蒸留して蒸留物を取得するステップ。
（形態５）
ステップａ）がオートクレーブ処理によって実行されることを特徴とする形態４に記載の組成物。
（形態６）
ステップｂ）がシュレッドミル及びクラッシャにおいて実行されることを特徴とする形態４に記載の組成物。
（形態７）
ステップｄ）のプロセスが、サッカロミセス・セレビシエ及びクロエケラ・アフリカーナの存在下において、室温と３０℃の間での発酵を含むことを特徴とする形態４に記載の組成物。
（形態８）
蒸留物が少なくとも３８−４０％ｖ／ｖのエタノール濃度に到達するまで、ステップｅ）が実行されることを特徴とする形態４に記載の組成物。
（形態９）
形態１に記載の組成物を含む食品又は飲料。
（形態１０）
形態２に記載の組成物を含む食品又は飲料。
（形態１１）
モノアミンオキシダーゼ（ＭＡＯ）の過剰活性によって特徴付けられる状態を処置する方法であって、
そのような処置の必要がある被験者に対して、有効量の形態１に記載の組成物を投与することを含む方法。
（形態１２）
前記状態が、鬱病又はパーキンソン病であることを特徴とする形態１１に記載の方法。
（形態１３）
モノアミンオキシダーゼ（ＭＡＯ）の過剰活性によって特徴付けられる状態を処置する方法であって、
そのような処置の必要がある被験者に対して、有効量の形態９に記載の食品又は飲料を投与することを含む方法。
（形態１４）
エタノール存在下でのＭＡＯ阻害剤についてアッセイする方法であって、
前記アッセイにおいてアルコールデヒドロゲナーゼ及びＮＡＤを含む方法。
（形態１５）
以下のステップを含むことを特徴とする形態１４に記載の方法：
ａ）解析されるサンプルに対して、ニコチンアミドアデニンジヌクレオチド及びアルコールデヒドロゲナーゼと共に、基質有効量のキヌラミンジヒドロブロミドを添加するステップ；
ｂ）ＭＡＯ  Ａ及び／又はＭＡＯ  Ｂを添加するステップ；
ｃ）３７℃でインキュベートするステップ；
ｄ）強塩基で反応を停止するステップ；及び
ｅ）３１０ｎｍの励起波長及び４０５ｎｍの発光波長で結果を評価するステップ。
（形態１６）
竜舌蘭由来のアルコール飲料に関するレーティングシステムであって、
各飲料が、そのＭＡＯ  Ａ阻害剤又はＭＡＯ  Ｂ阻害剤、あるいはその両方の含有量に基づいて、品質のスケール上の位置に位置付けられるシステム。
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
目的の組織領域に隣接した導電部付きプローブにより得られる複合インピーダンススペクトルに基づいて目的の生体組織領域が、神経組織を含むかどうかを決定する方法であって、前記インピーダンススペクトルは、複数の周波数におけるデータを含み、
該方法は、
前記複合インピーダンススペクトルから、１つ以上の周波数におけるインピーダンス係数値または対応するアドミタンス値を表す第１のデータセットを得ること、
前記複合インピーダンススペクトルから、１つ以上の異なる周波数におけるインピーダンス位相角値または対応するアドミタンス値を表す第２のデータセットを得ること、
前記第１のデータセットに、前記インピーダンス係数が皮下脂肪組織を除外することが知られている値を下回っているか否かを決定する第１の識別基準を適用すること、
前記第２のデータセットに、設定された周波数における前記位相角がその他の組織型を除外することが知られている閾値レベルを超えているかを決定する第２の識別基準を適用すること、
前記第２のデータセットに、設定された周波数における位相角勾配がその他の組織型を除外することが知られている閾値レベルを超えているかを決定する第３の識別基準を適用すること、および
それによって、前記目的の組織領域が、神経組織を含むかを決定すること、を含む方法。
【請求項２】
インピーダンス係数、位相角および位相角勾配の２つ以上を含むデータパラメータの相違が、異なる組織型に対して最大になる周波数を特定するために、公知の組織型のインピーダンススペクトルを得ることおよび比較すること、ならびに、この周波数における識別基準を選択することで、前記第１の識別基準のためのインピーダンス係数値、前記第２の識別基準のための閾値位相角、および前記第３の識別基準のための前記閾値勾配を提供することを含む、請求項１に記載の方法。
【請求項３】
前記３つの識別基準に基づく複合変数を用いて、前記目的の組織領域が神経組織を含むかどうかを決定することを含む、請求項２に記載の方法。
【請求項４】
前記第１の識別基準は、１０ｋＨｚ〜５ｋＨｚの範囲の周波数におけるインピーダンスについて、２５００オーム未満であることを要求する、先行する請求項のいずれか１項に記載の方法。
【請求項５】
前記第１の識別基準は、約３９ｋＨｚの周波数におけるインピーダンスについて、２２００オーム未満であることを要求する、請求項４に記載の方法。
【請求項６】
前記第２の識別基準は、１０ｋＨｚ〜５０ｋＨｚの範囲、場合によっては２５ｋＨｚ〜４５ｋＨｚの範囲から選択された周波数における位相角について、２５度未満であることを要求する、先行する請求項のいずれか１項に記載の方法。
【請求項７】
前記第２の識別基準は、約３９ｋＨｚにおける位相角について、２５度未満であることを要求する、請求項６に記載の方法。
【請求項８】
前記第３の識別基準は、設定された周波数における前記位相角勾配が、他の組織型を除外することが知られている閾値範囲から外れているかを決定することを含む、先行する請求項のいずれか１項に記載の方法。
【請求項９】
前記第３の識別基準は、１０ｋＨｚ、より好ましくは１００ｋＨｚを越える周波数であって、場合によっては４００ｋＨｚ未満、好ましくは３００ｋＨｚ未満の周波数における位相角勾配について、１ｋＨｚにつき３／１２６度を越えること、場合によっては１ｋＨｚにつき０．０６度を越えることを要求する、先行する請求項のいずれか１項に記載の方法。
【請求項１０】
前記第３の識別基準は、２５１ｋＨｚにおける位相角が、１２５ｋＨｚにおける位相角と比較して３度より多く増加していることを要求する、先行する請求項のいずれか１項に記載の方法。
【請求項１１】
前記第３の識別基準は、負の位相角勾配および１ｋＨｚにつき０．０６度を超える、場合によっては１ｋＨｚにつき０．０３度を越える位相角勾配を除外する、先行する請求項のいずれか１項に記載の方法。
【請求項１２】
超音波および／または神経刺激装置などの追加の誘導方法と組み合わせて使用することを含む、先行する請求項のいずれか１項に記載の方法。
【請求項１３】
前記目的の組織領域が、筋肉組織又は神経内組織を含むかを決定するために、前記インピーダンス係数、前記位相角、および前記位相角勾配を使用することを含む、先行する請求項のいずれか１項に記載の方法。
【請求項１４】
命令を含むコンピュータプログラム製品であって、前記命令は、その実行時に、先行する請求項のいずれか１項に記載の方法を実行するように、データ処理装置を設定する、コンピュータプログラム製品。
【請求項１５】
目的の組織領域に隣接した導電部付きプローブにより得られる複合インピーダンススペクトルに基づいて目的の生体組織領域が神経組織を含むかを決定する装置であって、前記インピーダンススペクトルが複数の周波数におけるデータを含む、装置であり、
前記装置は、プロセッサを含み、
前記プロセッサは、
前記複合インピーダンススペクトルから、１つ以上の周波数におけるインピーダンス係数値または対応するアドミタンス値を表す第１のデータセットを得、
前記複合インピーダンススペクトルから、１つ以上の異なる周波数におけるインピーダンス位相角値または対応するアドミタンス値を表す第２のデータセットを得、
前記第１のデータセットに、前記インピーダンス係数が皮下脂肪組織を除外することが知られている値を下回っているか否かを決定する第１の識別基準を適用し、
前記第２のデータセットに、第２の識別基準を適用し設定された周波数における前記位相角が、その他の組織型を除外することが知られている閾値レベルを超えているかを決定する第２の識別基準を適用し、
前記第２のデータセットに、設定された周波数における位相角勾配がその他の組織型を除外することが知られている閾値レベルを超えているかを決定する第３の識別基準を適用し、
それによって、前記目的の組織領域が、神経組織を含むかを決定する、ように構成されている、装置。
【請求項１６】
前記プロセッサは、請求項１〜１３のいずれか１項に記載の方法で定義されるステップを実行するように構成されている、請求項１５に記載の装置。
【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
ブラシヘッドを持つ歯ブラシを動作させる方法であって、前記歯ブラシが、第１の長手方向軸を規定し、前記ブラシヘッドが、第２の長手方向軸に沿って延在している複数の毛を持ち、前記方法は、
歯ブラシを動作させるステップと、
前記第１の長手方向軸及び前記第２の長手方向軸に対して第１の角度で前記ブラシヘッドによってブラッシング表面に付与される第１の力を示す第１の情報と、前記第１の長手方向軸及び前記第２の長手方向軸に対して前記第１の角度とは異なる第２の角度で前記ブラシヘッドによって前記ブラッシング表面に付与される第２の力を示す第２の情報と、を生成するステップと、
を有し、
前記複数の毛の各々が、前記第１の長手方向軸に対して実質的に垂直な方向において延在し、前記第１の力が、前記第１の長手方向軸に対して実質的に垂直且つ前記第２の長手方向軸に対して実質的に平行な方向にあるとともに、前記第１の長手方向軸に対して実質的に垂直でない角度α１であり、前記第１の情報が、Ｆ１であり、前記第２の情報が、Ｆ２であり、
前記方法が、
Ｆ１／（Ｆ１＋Ｆ２／ｃｏｓα１）に等しい比を１又は複数の所定の閾値と比較することによって、前記歯ブラシの動作中、前記ブラッシング表面に対する前記ブラシヘッドの現在のブラッシング角度が、前記１又は複数の所定の閾値よりも上か下かを決定するステップと、
前記歯ブラシの前記現在のブラッシング角度の知覚可能なフィードバックをユーザに供給するステップと、
を有する、方法。
【請求項２】
ブラシヘッドを持つ歯ブラシを動作させる方法であって、前記歯ブラシが、第１の長手方向軸を規定し、前記ブラシヘッドが、第２の長手方向軸に沿って延在している複数の毛を持ち、前記方法は、
歯ブラシを動作させるステップと、
前記第１の長手方向軸及び前記第２の長手方向軸に対して第１の角度で前記ブラシヘッドによってブラッシング表面に付与される第１の力を示す第１の情報と、前記第１の長手方向軸及び前記第２の長手方向軸に対して前記第１の角度とは異なる第２の角度で前記ブラシヘッドによって前記ブラッシング表面に付与される第２の力を示す第２の情報と、を生成するステップと、
を有し、
前記複数の毛の各々が、前記第１の長手方向軸に対して実質的に垂直な方向において延在し、前記第１の力が、前記第１の長手方向軸に対して実質的に垂直且つ前記第２の長手方向軸に対して実質的に平行な方向にあり、前記第２の力が、前記第２の長手方向軸に対して実質的に垂直な方向にあり、前記第２の力が、前記第１の長手方向軸に対して実質的に垂直でない角度α２であり、前記第１の情報が、Ｆ１であり、前記第２の情報が、Ｆ２であり、
前記方法が、
Ｆ１／（Ｆ１＋Ｆ２／ｓｉｎα２）に等しい比を１又は複数の所定の閾値と比較することによって、前記歯ブラシの動作中、前記ブラッシング表面に対する前記ブラシヘッドの現在のブラッシング角度が、前記１又は複数の所定の閾値よりも上か下かを決定するステップと、
前記歯ブラシの前記現在のブラッシング角度の知覚可能なフィードバックをユーザに供給するステップと、
を有する、方法。